(57)【要約】      （修正有）【課題】上面に透水性を備えた化粧材、或いはプランターなどを載置可能な溝蓋を提供する。【解決手段】左右一対の側溝壁の上面に載置される側縁部２とこれら両側縁部２の間に設けられるとともに側縁部２よりも下方に位置する底面部３と、この底面部３と前記両側縁部２との間に設けられる側壁部４と、底面部３の前後端から側縁部２の位置以下まで上方に突設された一対の前後壁部６とを備え、側縁部２と底面部３と前後壁部６との間には凹部８が設けられているとともに、底面部３は、透水性と多孔性とを備えている溝蓋１によって達成される。【選択図】図１
0003147591.tif 000002
【実用新案登録請求の範囲】
【請求項１】
左右一対の側溝壁の上面に載置される側縁部とこれら両側縁部の間に設けられるとともに前記側縁部よりも下方に位置する底面部と、この底面部と前記両側縁部との間に設けられる側壁部と、前記底面部の前後端から前記側縁部の位置以下まで上方に突設された一対の前後壁部とを備え、前記側縁部と前記底面部と前記前後壁部との間には凹部が設けられているとともに、前記底面部は、透水性と多孔性とを備えていることを特徴とする溝蓋。
【請求項２】
前記底面部には、平行四辺形状の孔部が設けられていることを特徴とする請求項１に記載の溝蓋。
【請求項３】
前記底面部は、エキスパンドメタルから構成されていることを特徴とする請求項１または２に記載の溝蓋。
【請求項４】
前記前後壁部には、隣り合う溝蓋間を互いに連結可能な連結部材を組付け可能な連結孔が開放されていることを特徴とする請求項１〜請求項３のいずれか一つに記載の溝蓋。
【請求項５】
前記底面部の下面からは、左右方向に延びる補強部が垂下されており、この補強部の幅長は前記凹部の幅長以下とされているとともに、前記補強部の垂下長は前記凹部の高さ以下とされていることを特徴とする請求項１〜請求項４のいずれか一つに記載の溝蓋。
【請求項６】
前記補強部は、下方に向かって幅長が小さくなっていることを特徴とする請求項５に記載の溝蓋。
【考案の詳細な説明】
【技術分野】
【０００１】
本考案は、側溝用の溝蓋に関するものである。
【背景技術】
【０００２】
側溝（例えばＵ字溝）の上面に載置されることで、その開口部分を覆う溝蓋について、いくつかの技術開発が行われている。これらの技術開発は、溝蓋の機能性に関したものに重点がおかれている。一方、側溝を街路の一部として把握し、その景観に着目した技術開発が行われている。そのような技術開発については、それほど多くのものがなされているわけではない。例えば、特許文献１〜特許文献３には、溝蓋を景観の点から開発したものが開示されている。
これらのうち、特許文献１には、複数の排水口を間に形成するように、間隔をおいて並設された排水口形成部材を備えたグレーチング本体と、前記排水口の一部を塞ぐように設けられて、上方に臨む化粧性を備える透水性の詰め込み材とを備えたものが開示されている。
【０００３】
また、特許文献２には、縦桟と横桟で組み付けた組格子の外周に構成した枠板とで一体となされたグレーチングであって、桟で構成された踏み面に、エキスパンドメタル風の穴あき部をプレス加工で一気に構成した底面を設け、その底面部分に短冊状にした人工芝を設置したグレーチングが開示されている。また、特許文献３には、縦側板と横側板からなる枠体に、格子状部材を接合することにより形成されたグレーチング本体と、このグレーチング本体の表面に複数に渡って取付け固定された丸太材とを備えたグレーチングが開示されている。
【０００４】
【特許文献１】特開２００６−１７７１２１号公報
【特許文献２】特開２００６−２４２５号公報
【特許文献３】特開平８−３５２５４号公報
【考案の開示】
【考案が解決しようとする課題】
【０００５】
上記のような技術開発にも拘わらず、景観に着目した溝蓋の開発については、未だに改良の余地が残っている。
本考案は、上記した事情に鑑みてなされたものであり、その目的は、上面に透水性を備えた化粧材、或いはプランターなどを載置可能な溝蓋を提供することである。
【課題を解決するための手段】
【０００６】
上記目的を達成するための考案に係る溝蓋は、左右一対の側溝壁の上面に載置される側縁部とこれら両側縁部の間に設けられるとともに前記側縁部よりも下方に位置する底面部と、この底面部と前記両側縁部との間に設けられる側壁部と、前記底面部の前後縁から前記側縁部の位置以下まで上方に突設された一対の前後壁部とを備え、前記側縁部と前記底面部と前記前後壁部との間には凹部が設けられているとともに、前記底面部は、透水性と多孔性とを備えていることを特徴とする。
【０００７】
このような構成とすれば、側溝の上方から溝蓋を組み付けることによって、溝蓋が底面部によって閉止される。このとき、底面部の上方には、凹部が形成されるので、この凹部に化粧材（石材など）、プランター、植木鉢などを置き入れることができる。こうして、側溝を閉止するとともに、景観を美しく保つことができる。なお、前後壁部の突設位置は、側縁部の位置までとすることが好ましい。そのようにすれば、凹部の容積を最も大きく設定できるからである。但し、本考案によれば、前後壁部は適当な位置（例えば、側縁部から底面部までの位置の１／３、１／２、２／３の高さ位置など）までとすることもできる。
【０００８】
また、本考案においては、底面部に孔部を設けることが好ましい。この孔部の形状については、限定されず、例えば円形・楕円形・多角形（三角形、四角形、五角形など）などの形状を使用できる。但し、これらの形状のうち、平行四辺形状の孔部が設けられていることが好ましい。孔部の形状を平行四辺形状とすると、正方形とした場合に比べると、同じ面積のときには、対向する一対の辺間の距離を小さくできるので、孔部から小石やゴミなどが落下する懸念が小さくなる。
また、本考案においては、底面部として、エキスパンドメタル、パンチングメタル、網目材などを用いることができる。但し、これらのうち、強度および排水能力の観点から、エキスパンドメタルを用いることが好ましい。
【０００９】
また、前記前後壁部には、隣り合う溝蓋間を互いに連結可能な連結部材を組付け可能な連結孔が開放されていることが好ましい。一般的な溝蓋では、前後壁部の内側には、前後に均等間隔で左右に架設する補強板材が設けられている（例えば、特許文献２を参照）。このため、前後壁部に孔部を設けても、前後に隣接する溝蓋間を連結部材で連結するための作業空間を確保することが困難であった。一方、本考案によれば、溝蓋の中央には凹部が設けられているので、前後壁部に開放した連結孔の前後は、開放された空間となっている。このため、前後に隣り合う溝蓋の前後壁部に開放した連結孔に連結部材（例えば、ボルトなどの棒状材）を組み付けることによって、容易に溝蓋を相互に連結できる。こうして、溝内に大量の水が流れた場合の溝蓋の浮き暴れや、溝蓋の盗難などを防止できやすい。
【００１０】
また、前記底面部の下面からは、左右方向に延びる補強部が垂下されており、この補強部の幅長は前記凹部の幅長以下とされているとともに、前記補強部の垂下長は前記凹部の高さ以下とされていることが好ましい。このようにすれば、複数の溝蓋を同方向として縦に重ね合わせたときに、凹部の内側に隣の補強部が嵌り込むことになり、縦寸法が大きくなりすぎず、運搬操作が容易となる。また、補強部が凹部に嵌り込むことにより、溝蓋間の安定性が良好となるので、運搬時の安全性が向上する。
更に、補強部は、下方に向かって幅長が小さくなっていることが好ましい。そのような構成とすれば、溝蓋で溝を閉止するときの操作、及び複数の溝蓋を積み重ねるときの操作を行いやすくなる。
【考案の効果】
【００１１】
本考案によれば、側溝を閉止するとともに、景観を美しく保つことが可能な溝蓋を提供できる。また、本考案によれば、側溝を花壇等として使用できるので、土地の有効利用面積を増やすことが可能となる。
【考案を実施するための最良の形態】
【００１２】
次に、本考案の実施形態について、図表を参照しつつ説明するが、本考案の技術的範囲は、これらの実施形態によって限定されるものではなく、要旨を変更することなく様々な形態で実施することができる。また、本考案の技術的範囲は、均等の範囲にまで及ぶものである。
図１〜図５には、本実施形態の溝蓋１を示した。溝蓋１は、例えばＵ字溝１００などの溝（図８及び図９に示す）の上面に覆いつけられることで、溝を塞ぐとともに、景観に配慮したものである。溝蓋１は、複数の部材（例えば、鉄材、ステンレス材などを用いることができる）を折曲加工及び熔接等の手段によって連結して構成されたものである。
【００１３】
Ｕ字溝１００の溝幅の規格としては、１５０，１８０，２００，２４０，３００ミリメートルのものがあり、いずれの規格についても本実施形態の溝蓋１を提供できるが、これら以外の溝幅についても適当な大きさの溝蓋１を製造することができる。また、溝蓋１の前後長さとしては、一般的なＵ字溝１００の長さに合わせて、６００ミリメートルとすることができるが、それ以外の長さとして溝蓋１を製造することができる。
溝蓋１の左右両側からは、Ｕ字溝１００の左右一対の側溝壁１０１の上面に載置されることで、溝蓋１の位置決めを行う側縁部２が張り出されている。この側縁部２は、溝蓋１の前後長さに沿って、連続して長方形状に形成されている。
【００１４】
左右両側縁部２の間には、溝幅とほぼ同等かそれよりもわずかに小さな幅長を備えた平面状の底面部３が設けられている。底面部３は、側縁部２よりも所定の高さＹだけ下方に設けられている（図５を参照）。側縁部２と底面部３の間には、ほぼ垂直方向に立設された側壁部４が設けられている。底面部３は、平行四辺形状の孔部５を備えたエキスパンドメタルによって形成されており、透水性と多孔性とを備えている。また、底面部３の前後端からは、側縁部２の位置まで上方に前後壁部６が突設されている。底面部３と、この底面部３の前後及び左右側縁から立設された四個の壁部４，４，６，６によって囲まれた空間が、凹部８とされる。この凹部８には、後述するように、石材やプランターなどを入れることができる。
また、前後壁部６の中央には、連結孔７が開放されている。
【００１５】
底面部３の下方には、図４に示すように、底面部３を支持するとともに底面を補強する補強部１０，１１が設けられている。このうち、前後両端に設けられた前後補強部１０は、略長方形の平板状に形成されている。前後補強部１０は、前後壁部６及び左右の側壁部４の３個の壁部の底部に連結されている。一方、両補強部１０の間に、ほぼ均等間隔で設けられた３個の補強部１１は、長方形状の側壁接続部１２と、ここから下方に折り曲げられることで底面部３から垂下する補強リブ１３とから構成されている。このうち、側壁接続部１２の左右両端は、それぞれ側壁部４の下端に連結されている。また、補強リブ１３は、両側壁部４の間を架設するようにして、左右方向に延設されている。補強リブ１３は、図５に示すように、下方に向かうにつれて、幅長Ｌが小さくなるように正断面が台形状とされている。補強リブ１３の幅長Ｌの最大値（側壁接続部１２における折り曲げ部分）は、凹部８の幅長Ｍと同等か、それよりもやや小さく設定されている（すなわち、幅長Ｌ≦幅長Ｍ）。また、補強リブ１３の垂下長Ｘは、凹部の高さＹと同等か、それよりも低く設定されている（すなわち、垂下長Ｘ≦高さＹ）。
【００１６】
次に、上記のように構成された本実施形態の作用及び効果について説明する。
複数の溝蓋１を積み重ねる場合には、例えば図６に示すように、全ての溝蓋１について、補強リブ１３を下面側とし、凹部８が上方に開放するようにして、整列させつつ上方に積み重ねていく。このようにすると、下側の凹部８の内側に、上側の補強リブ１３が嵌り込むようになっているので（幅長Ｌ≦幅長Ｍ、及び垂下長Ｘ≦高さＹ）、高さ方向について、必要以上に嵩張ることなく積み重ねることができる。
【００１７】
また、複数の溝蓋１が前後方向に隣接するようにしてＵ字溝１００に設置されたときには、図７に示すように、連結孔７を通して、隣り合う溝蓋１の前後壁部６を貫通する連結部材９，１０を組み付けることにより、容易に複数の溝蓋１を相互に連結することができる。連結部材９，１０としては、例えばボルトとナットを用いることができるが、これら以外にも連結材を用いることができる。連結部材９，１０の組付操作に際して、前後壁部６の反対側には、互いに凹部８が設けられているので、作業用の空間が良好に確保できる。このため、組付作業を行いやすい。こうして、連結部材９，１０により、互いに溝蓋１を連結した後には、溝内に大量の水が流れた場合の溝蓋１の浮き暴れや、溝蓋１の盗難などを防止できやすい。
【００１８】
次に、溝蓋１を用いてＵ字溝１００を閉止したときの使用方法の一例について、図８を参照しつつ説明する。
図８（Ａ）に示すように、Ｕ字溝１００の側溝壁１０１の上面に側縁部２が載置されるようにして、溝蓋１を組み付ける。溝蓋１は、Ｕ字溝１００の長さ方向に沿って、隣り合う前後壁部６が接触する程度に連続するようにして組み付ける。
次いで、図８（Ｂ）に示すように、凹部８の内側に石材などの化粧材１０２を敷き詰める。このとき、化粧材１０２の最上面が、ほぼ側縁部２の位置となるようにすることが好ましい。
こうして、図８（Ｃ）に示すように、化粧材１０２が敷き詰められた側溝となるので、溝蓋１を暗渠蓋として使用できることに加え、景観上も好ましいものとできる。また、化粧材１０２によって、従来のプランターに比べると、隙間が小さくなるので、落ち葉・ゴミ等が溝内に落下することを防止できる。なお、底面部３として、エキスパンドメタルを用いることにより、透水性が十分に確保できるとともに、強度的にも十分なものとなる（例えば、歩行者が化粧材１０２の上面に乗ったとしても十分な強度が発揮される）。
【００１９】
次に、別の使用方法について、図９を参照しつつ説明する。
図９（Ａ）に示すように、Ｕ字溝１００を溝蓋１で覆う（図８（Ａ）に関する記載を参照）。次に、図９（Ｂ）に示すように、凹部８の内側にプランター１０３を載せる。なお、プランター１０３に代えて、植木鉢などを用いることもできる。この状態においても景観上の効果が得られる。
但し、図９（Ｃ）に示すように、凹部８においてプランター１０３の周囲に化粧材１０２を敷き詰めることができる。
こうして、図９（Ｄ）に示すように、凹部８にプランター１０３と化粧材１０２を挿入した側溝となるので、景観上も好ましいものとできる。
【００２０】
また、家庭回りの側溝に溝蓋１を用いることにより、土地を有効に利用しつつ、花壇を設けることができる。
このように、本実施形態によれば、側溝を閉止するとともに、景観を美しく保つことが可能な溝蓋１を提供できた。
【図面の簡単な説明】
【００２１】
【図１】本実施形態の溝蓋の斜視図である。
【図２】溝蓋の平面図である。
【図３】溝蓋の側面図である。
【図４】溝蓋の底面図である。
【図５】溝蓋の正面図である。
【図６】複数の溝蓋を積み重ねたときの様子を示す正面図である。
【図７】複数の溝蓋を載置したときに、整列した連結孔に連結部材を組付けた様子を示す拡大側面図である。
【図８】溝蓋の使用方法を示すための工程図である。（Ａ）Ｕ字溝を溝蓋で覆う様子を示す正断面図である。（Ｂ）凹部に化粧材を投入している様子を示す正断面図である。（Ｃ）凹部に化粧材を敷いた後の様子を示す正断面図である。
【図９】溝蓋の使用方法を示すための工程図である。（Ａ）Ｕ字溝を溝蓋で覆う様子を示す正断面図である。（Ｂ）凹部にプランターを載置する様子を示す正断面図である。（Ｃ）凹部内において、プランターの周囲に化粧材を投入している様子を示す正断面図である。（Ｄ）凹部にプランターと化粧材を挿入した後の様子を示す正断面図である。
【符号の説明】
【００２２】
１…溝蓋、２…側縁部、３…底面部、４…側壁部、５…孔部、６…前後壁部、７…連結孔、８…凹部、９…連結部材、１０…前後補強部、１１…補強部、１２…側壁接続部、１３…補強リブ、１００…Ｕ字溝（側溝）、１０１…側溝壁、１０２…化粧材、１０３…プランター
【図１】
0003147591.tif 000003
【図２】
0003147591.tif 000004
【図３】
0003147591.tif 000005
【図４】
0003147591.tif 000006
【図５】
0003147591.tif 000007
【図６】
0003147591.tif 000008
【図７】
0003147591.tif 000009
【図８】
0003147591.tif 000010
【図９】
0003147591.tif 000011